【事件の表示】
　平成　９年特許願第　２０９５９号「面状光源装置」拒絶査定不服審判事件〔平成１０年　８月　７日出願公開、特開平１０−２０８５２９号〕について、次のとおり審決する。
【結　論】
　本件審判の請求は、成り立たない。
【理　由】
【１】手続の経緯・本願発明
　本願は、平成９年１月２０日の特許出願（特願平９−２０９５９号）であって、その請求項１〜５に係る発明は、平成１３年５月２２日付けの手続補正書により補正された特許請求の範囲の請求項１〜５に記載された事項により特定されるとおりのものと認められるところ、そのうちの請求項１に係る発明（以下、「本願発明」という。）は、次のとおりのものである。
（本願発明）
「透光性材料からなる樹脂基板の少なくとも一面以上の側端面付近に光源ランプを当接させて構成するサイドライト方式の面状光源装置において、
　前記樹脂基板の光線出射面の対向面に光反射パターンを形成し、該光反射パターンは、前記光源ランプの軸方向に沿って連設される断面形状ほぼ三角形の溝部、および平坦部とで構成されており、
　前記溝部および平坦部の比率が一定、または、前記光源ランプから離れるにしたがって溝部の比率が大きくなるか、もしくは、それらの組み合せであり、
　かつ前記溝部を形成する断面形状三角形の頂角に相当する谷部の角度を一定にし、溝部の光源ランプに近い側の傾斜面の傾斜角度を４０°ないし５５°、前記傾斜面とは別の傾斜面の傾斜角度を６０°ないし９０°で形成したことを特徴とする面状光源装置。」
　
　なお、平成１３年５月２２日付けの手続補正書による補正は、特許請求の範囲の補正事項を含むものであって、補正前の請求項１に記載された「かつ前記溝部の断面形状三角形の頂角に相当する谷部の角度を一定にし、傾斜面は、光源ランプに近い側の傾斜面の傾斜角度を４０°ないし５５°、前記傾斜面とは別の傾斜面の傾斜角度を６０°ないし９０°で形成させること」を、「かつ前記溝部
を形成する
溝部の
した
 　
【２】引用例
　これに対して、原査定における拒絶の理由に引用された特開平８−２０１８０７号公報（以下、「刊行物１」という。）には、図１〜１１とともに、次の事項が記載されている。
（１）記載事項１：
「【発明が解決しようとする課題】前述したように、従来の平板状の透光性板の側端から光を入射させて入射方向と直角方向の面から出射させる形式の照明装置では、光の利用効率が低く、・・・（中略）・・・問題があった。
【０００７】このような方式の照明装置の光の利用効率が低い原因の一つは、透光性板に入るときの光の入射角度が、出射面や反射面に対して浅いため全反射してしまう成分が多く、また出射する光の中にも浅い角度で出射する成分が多いため正面に向かう成分が少なくなるためであると考えられる。
【０００８】本発明は、かかる点に着目してなされたもので、透光性板に入射した光のうち出射面から正面方向に向かう光の量を多くした照明装置を提供することを目的とするものである。
【０００９】…（中略）…前記透光性板の光の出射面に、前記光源の配置された側端に対して平行もしくは傾斜し、かつ互いに平行する多数の凸条を形成し…（中略）…である。」（公報第２頁第２欄第３６行〜第３頁第３欄第１４行）
（２）記載事項２：
「【００１２】透光性板に用いる透明プラスチックとしてはアクリル樹脂やメタクリル樹脂、ポリカーボネート、スチレン樹脂、アクリル−スチレン共重合体などの透明樹脂が例示される。」（同第３頁第３欄第２８〜３１行）
（３）記載事項３：
「【００１８】透光性板の出射面と反対側の面（反射面）には、この面へ当たった光を乱反射させるために１μｍから 1ｍｍの白色のドットを形成しておくことが望ましい。」（同第３頁第４欄第２１〜２４行）
（４）記載事項４：
「【００１９】また、このような白色のドットに代えて、反射面に、多数の凹溝を形成するようにしてもよい。凹溝の形状、配列、ピッチ等は透光性板の出射面側に形成される凸条と同様である。図６は、このような凹溝３の例を示すもので、（ａ）は逆Ｖ字状、（ｂ）は矩形状、（ｃ）は逆Ｕ字状、（ｄ）はエッジ状の凹溝を示している。また、反射面の細溝を平行に配列する方向は出射面の細溝と直交させることが望ましい。この凹溝は、開き角度が50°から 150°の範囲にあることが望ましい。」（同第３頁第４欄第３０〜３８行）
（５）記載事項５：
「【００２１】透光性板に入射した光は、入射方向に進行するにつれて出射していく光の分だけ減衰していく。したがって、透光性板の全面の輝度を均一にするためには、光源からの距離に応じて反射面の反射性能を変えていく必要がある。
【００２２】この目的を達成するためには、反射面に白色のドットを形成した場合には、光源側から遠ざかるにつれてドットの大きさを徐々に大きくなるようにし、凹溝を形成する場合には、図７に示すように、凹溝３の溝の深さを光源側Ｌから遠ざかるにつれて深くするか、又は図８に示すように、凹溝３の溝のピッチを密にするようにすればよい。」（同第３頁第４欄第４７行〜第４頁第５欄第８行）
（６）記載事項６：
「【００２６】
実施例１
【００２７】図１において、符号１はメタクリレート樹脂（旭化成製：デルペット８０）１ａにフッ素含有アクリル樹脂（屈折率ε＝1.39）微粒子１ｂを0.01% 添加した組成物で形成された透光性板を示している。この透光性板１の一方の面には図２に示した多数の凸条２ａが形成されて光の出射面Ｓを構成し、他方の面には多数の白色のドット４が形成されて反射面Ｒを構成している。透光性板１の出射面Ｓ上には液晶基板５が配置され反射面Ｒ上には散乱シート６が配置されている。また透光性板１の一側端には蛍光灯、ハロゲンランプ等からなる棒状の光源７が配置され、その外側には放物鏡８が配置されている。
【００２８】この実施例の透光性板１は、金型を用いて射出成型により一体成形されたもので、出射面側にピッチ70μｍ、開き角度90°の逆Ｖ字状の凸条２ａが形成されている。」（同第４頁第５欄第３２〜５０行）
（７）記載事項７：
　上記記載事項１における「前記透光性板の光の出射面に、前記光源の配置された側端に対して平行もしくは傾斜し、かつ互いに平行する多数の凸条を形成し」及び上記記載事項４における「反射面の細溝を平行に配列する方向は出射面の細溝と直交させることが望ましい」という記載事項を考慮すれば、図４には、透孔性板１の出射面に設けた凸条２ａ、２ｂにつき、光源の配置された側端に対して直交する方向に当該凸条２ａ、２ｂを配列させた構成が、いいかえれば、棒状の光源７の軸方向に沿う方向と直交する方向に凸条２ａ、２ｂを配列させた構成が示されている。
　また、図６には、反射面Ｒに設けた多数の凹溝３につき、逆Ｖ字状３ａあるいはエッジ状３ｄの凹溝３の形状とともに、それら凹溝３に隣接させて平坦面を設けた構成が示されており、さらに、図８には、それら多数の凹溝３の開き角度を有する頂角から棒状の光源側Ｌに近い側とその反対側に、それぞれ傾斜面を形成した構成が示されている。
　
　上記記載事項１〜７並びに図面に示された内容を総合すると、刊行物１には次の発明（以下、「引用発明１」という。）が記載されていると認められる。
（引用発明１）
「透明樹脂からなる透光性板１の一側端付近に棒状の光源７を配置させて構成する平板状の透光性板の側端から光を入射させて入射方向と直角方向の面から出射させる形式の照明装置において、
　上記透光性板１の光の出射面Ｓと反対側の面に反射面Ｒを形成し、当該反射面Ｒは、上記棒状の光源７の軸方向に沿う方向（棒状の光源７の軸方向に沿う方向と直交する方向にさらに直交する方向）に溝として形成された逆Ｖ字状３ａあるいはエッジ状３ｄの多数の凹溝３と、当該凹溝３と平行に隣接する平坦面とで構成されており、
　上記凹溝３と当該凹溝３と平行に隣接する平坦面とが、上記光源側Ｌから遠ざかるにつれて凹溝３の溝のピッチが密になり、
　かつ上記凹溝３を形成する逆Ｖ字状３ａあるいはエッジ状３ｄの凹溝３の開き角度を５０°から１５０°の範囲内において定められた値とし、当該凹溝３の開き角度を有する頂角から棒状の光源７に近い側とその反対側に、それぞれ傾斜面を形成した照明装置。」
　
【３】対比
　本願発明と上記引用発明１とを対比すると、各文言の意味、機能または作用等からみて、上記引用発明１における「透明樹脂からなる透光性板１」は本願発明の「透光性材料からなる樹脂基板」に、以下同様に、「一側端」は「少なくとも一面以上の側端面」に、「棒状の光源７」は「光源ランプ」に、「配置」は「当接」に、「平板状の透光性板の側端から光を入射させて入射方向と直角方向の面から出射させる形式」は「サイドライト方式」に、「照明装置」は「面状光源装置」に、「光の出射面Ｓと反対側の面」は「光線出射面の対向面」に、「反射面Ｒ」は「光反射パターン」に、「上記棒状の光源７の軸方向に沿う方向（棒状の光源７の軸方向に沿う方向と直交する方向にさらに直交する方向）に溝として形成された」は「前記光源ランプの軸方向に沿って連設される」に、「逆Ｖ字状３ａあるいはエッジ状３ｄ」は「断面形状ほぼ三角形」または「断面形状三角形」に、「凹溝３」は「溝部」に、「それら凹溝３と平行に隣接する平坦面」は「平坦部」に、「光源側Ｌから遠ざかるにつれて凹溝３の溝のピッチが密になり」は「光源ランプから離れるにしたがって溝部の比率が大きくなり」に、「凹溝３の開き角度」
は「頂角に相当する谷部の角度」に、「開き角度を」「定められた値とし」は「角度を一定にし」に、そして、「光源７に近い側とその反対側」の「傾斜面」は「溝部の光源ランプに近い側の傾斜面」と「別の傾斜面」に、それぞれ相当するといえるから、本願発明と引用発明１とは、
「透光性材料からなる樹脂基板の少なくとも一面以上の側端面付近に光源ランプを当接させて構成するサイドライト方式の面状光源装置において、
　前記樹脂基板の光線出射面の対向面に光反射パターンを形成し、該光反射パターンは、前記光源ランプの軸方向に沿って連設される断面形状ほぼ三角形の溝部、および平坦部とで構成されており、
　前記溝部および平坦部の比率が、前記光源ランプから離れるにしたがって溝部の比率が大きくなり、
　かつ前記溝部を形成する断面形状三角形の頂角に相当する谷部の角度を一定にし、溝部の光源ランプに近い側の傾斜面と前記傾斜面とは別の傾斜面とで当該溝部を形成した面状光源装置」である点で一致し、下記の点（以下、「相違点」という。）で相違している。
（相違点）
　溝部を形成する溝部の光源ランプに近い側の傾斜面と前記傾斜面とは別の傾斜面の傾斜角度について、本願発明は、溝部の光源ランプに近い側の傾斜面の傾斜角度を４０°ないし５５°、前記傾斜面とは別の傾斜面の傾斜角度を６０°ないし９０°で形成すると規定しているのに対して、引用発明１ではそれら傾斜面の傾斜角度を直接的に規定していない点。
　
【４】当審の判断
　上記の相違点について検討する。
　ところで、樹脂基板の裏面に設けられる断面形状三角形の光反射パターンの傾斜角度につき、本願明細書における従来の技術に関する記載事項を参酌すると、明細書の第４頁第２３行〜第５頁第６行に、「【００１３】 図１８に示すように、樹脂基板１４の平面状の表面１０に平行な仮想平面Ｓ’を、断面形状三角形のプリズム列Ｐの底辺となる位置に仮定する。そして、
プリズム列Ｐにおいて、側端面５に近い側（図１７および図１８の右側）の傾斜面１６の傾斜角度をα’
　【００１４】　上記特開平８−９４８４４号公報に開示された面状光源装置では、
傾斜角度α’を４５°程度
　また、原査定における拒絶の理由に引用された特開平７−８４２５９号公報にも、「本発明の面発光装置は、拡散反射部において拡散反射されて導光板の表面から出射する光の最大強度を、導光板表面に対して鉛直な方向とできるようにしたものである。すなわち、透明な導光板の一側面に線光源が配置され、導光板の裏面に二つの傾斜面からなる溝が線光源と平行に複数形成され、各溝の線光源側の傾斜面が導光板に対して45°以下の角度であるとともに他方の傾斜面が導光板に対して90°以下の角度・・・（中略）・・・が形成されているように構成した。」と記載されている（公報第２頁第２欄第３０〜４０行参照）。
　これらのことを考慮すると、樹脂基板の裏面に設けられる断面形状三角形の光反射パターンの傾斜角度につき、光源ランプから進行する光線を、溝部の光源ランプに近い側の傾斜面で反射させて、樹脂基板の表面方向へ進行させ、当該表面に対してほぼ垂直方向へ出射させるようにするために、「溝部の光源ランプに近い側の傾斜面の傾斜角度を４５°程度で形成する」ことは、従来より普通に採用されていた技術であったということができる。
  そして、引用発明１における溝部の光源ランプに近い側の傾斜面の傾斜角度として、上述した慣用技術であるといえる４５°という角度を適用した場合を想定してみると、引用発明１における溝部の谷部の角度は５０°から１５０°の範囲に定められた値であるから、当該角度として、例えば、上記刊行物１の実施例に示された値を考慮して、仮に、上記範囲内の合理的な数値であるところの５０°から９０°を採用したとすると、引用発明１における上記近い側の傾斜面とは別の傾斜面の傾斜角度は８５°ないし４５°で形成されることになる（ちなみに、谷部の角度として１３５°以上の角度は、４５°との和が１８０°以上となるので不合理であって採用できないことは明らかである）。
　してみると、上記相違点に係る構成は、引用発明１における溝部の光源ランプに近い側の傾斜面の傾斜角度として、上述した慣用技術であるといえる４５°前後の角度（例えば、４０°ないし５０°）を採用し、前記傾斜面とは別の傾斜面の傾斜角度として、引用発明１に示された谷部の角度の範囲内の値（例えば、５０°ないし７０°）を適宜選択することにより当業者が容易に想到し得た設計的事項であるといわざるを得ない。
　さらに、本願発明の構成により奏される明細書記載の作用・効果も、引用発明１および上記慣用技術から当業者であれば予測できる範囲内のものであって、格別なものとはいえない。
　
【５】むすび
　したがって、本願発明は、その出願前に当業者が引用発明１および上記慣用技術に基いて容易に発明をすることができたものと認められるから、特許法第２９条第２項の規定により特許を受けることができない。
　よって、結論のとおり審決する。